(57)【要約】【課題】録画端末のバッテリーの充電レベルが低下して番組コンテンツの放送終了まで録画できないと予想される場合であっても、確実にその番組コンテンツの録画処理を実行できるようにする。【解決手段】携帯電話１が外部から電源供給を受けることができない状態にあって、携帯電話１で放送番組コンテンツを録画しようとするとき、自身のバッテリーの充電レベルの残量を検出する。そして自身のバッテリーの充電レベルの残量が、目的とする放送番組コンテンツを録画できるレベルにないときには、携帯電話自身で録画を行うことなく、レコーダ２に録画処理を指示する。この指示を受けてレコーダ２は、携帯電話１から指示された番組コンテンツを録画し、その後携帯電話１に対して録画済みの番組コンテンツをインターネット４を経由して転送し、携帯電話１の録画機能にコピーさせる。【選択図】図１
2013214889.tif 000002
【特許請求の範囲】
【請求項１】
放送波を受信する受信手段と、該受信手段が受信した放送波による番組コンテンツを録画する録画手段と、該録画手段が録画した番組コンテンツを表示する表示部とを備えた録画端末であって、
該録画端末の各部の動作を制御する制御部と、前記録画端末を動作させる電力を供給するバッテリーと、ネットワークを介して外部機器と通信を行うネットワーク通信部とを有し、
前記制御部は、前記番組コンテンツを録画しようとする際に、外部電源が供給されていない場合に前記バッテリーの充電レベルの残量を検出し、前記録画しようとする番組コンテンツの録画が可能であるかを判別し、前記番組コンテンツの録画が完了できないと判断したときに、前記ネットワーク通信部を介して特定の外部機器に対して前記録画しようとする番組コンテンツを録画する指示情報を送信することを特徴とする録画端末。
【請求項２】
請求項１に記載の録画端末において、
前記制御部は、前記番組コンテンツの録画を指示した前記特定の外部機器に対して、録画した番組コンテンツを前記ネットワークを介して前記録画端末に転送する指示情報を送信し、前記指示情報に応じて転送された番組コンテンツを前記ネットワーク通信部を介して受信し、前記録画手段に録画することを特徴とする録画端末。
【請求項３】
請求項２に記載の録画端末において、
前記制御部は、前記外部機器に対して、前記録画した番組コンテンツを前記録画端末に転送する指示情報を送信しようとする際に、外部電源が供給されていない場合に前記バッテリーの充電レベルの残量を検出し、該検出した残量が、転送された前記録画コンテンツの受信に必要な残量以上であれば、前記指示情報を送信することを特徴とする録画端末。
【請求項４】
放送波を受信する受信手段と、該受信手段が受信した放送波による番組コンテンツを録画する録画手段と、を備えた録画装置であって、
該録画装置の各部の動作を制御する制御部と、ネットワークを介して外部の端末と通信を行うネットワーク通信部とを有し、
前記制御部は、前記ネットワーク通信部を介して外部の端末から送信された、特定の番組コンテンツを録画する指示情報に基づいて、前記受信手段で受信した番組コンテンツを前記録画手段で録画し、
前記外部の端末から送信された、番組コンテンツの転送を指示する指示情報に基づいて、前記録画手段で録画した番組コンテンツを前記ネットワークを介して前記外部の端末に転送することを特徴とする録画装置。
【請求項５】
請求項４に記載の録画装置において、
前記制御部は、前記外部の端末から、前記番組コンテンツを録画する指示情報を受信した際に、外部電源が供給されていない場合に前記録画装置が備えるバッテリーの充電レベルの残量を検出し、前記バッテリーの充電レベルの残量が、前記録画コンテンツの録画に必要な残量以上でなければ、録画ができない旨を示す情報を前記外部の端末に送信することを特徴とする録画装置。
【請求項６】
請求項４に記載の録画装置において、
前記制御部は、前記外部の端末から、前記録画した番組コンテンツを前記外部の端末に転送する指示情報を受信した際に、外部電源が供給されていない場合に前記録画装置が備えるバッテリーの充電レベルの残量を検出し、該検出した残量が、前記番組コンテンツの転送に必要な残量以上でなければ、前記転送ができない旨を示す情報を前記外部の端末に出力することを特徴とする録画装置。
【請求項７】
請求項１〜３のいずれか１の録画端末と、請求項４〜６のいずれか１の録画装置とを備え、前記録画端末と前記録画装置とがネットワークを介して接続されてなる録画システム。
【発明の詳細な説明】
【技術分野】
【０００１】
本発明は、録画端末、録画装置、及び録画システムに関し、より詳細には、放送番組コンテンツの録画機能を有する録画端末と、同じく放送番組コンテンツを有する録画装置とがネットワークを介して接続された録画システム、及びこれを構成する録画端末及び録画装置に関する。
【背景技術】
【０００２】
例えば、携帯電話等のモバイル型の端末では、放送されている番組コンテンツを受信して録画できる機能を備えるものがある。録画した番組コンテンツは、その端末で再生することで、ユーザは端末の画面で録画済みの番組コンテンツを視聴することができる。
【０００３】
このような端末では、常に駆動用電源を外部から供給し続けることはできず、内蔵のバッテリーで録画等の動作を実行する。このような端末では、バッテリーの充電レベルの残量が不足すると、ユーザが所望する番組コンテンツの録画を行うことができず、また録画済みの番組コンテンツを視聴することができなくなる。
【０００４】
このような問題に対して、例えば特許文献１には、利用者が録画予約を行ったのにもかかわらず、バッテリーの残量がなくなった場合に記録が途中で中断することを回避することを目的とする移動体通信端末が開示されている。
この移動体通信端末は、受信した放送波を処理し、消費電力を算出する。ここでは現在の消費電力だけでなく、録画予約したコンテンツの録画が完了するまでに必要となる電力を予測することができる。このとき、録画処理が完了しないことが予想される場合には、利用者にその旨を警告する。
【先行技術文献】
【特許文献】
【０００５】
【特許文献１】特開２００６−１２９３０２号公報
【発明の概要】
【発明が解決しようとする課題】
【０００６】
上記のように、電源を常に外部から供給できないバッテリー型の端末で、放送番組コンテンツの録画を実行しようとする場合、番組コンテンツの放送時間の開始から終了まで録画動作を行う必要があるため、電力を大きく消費し、バッテリーの残量の不足に陥る危険性が高い。バッテリーの残量が不足すれば、結果としてユーザが所望する番組コンテンツを全て録画できなくなる、という問題が生じる。
【０００７】
特許文献１の移動体通信端末は、コンテンツの録画が完了するまでに必要な電力を予測し、録画が完了しないと予想される場合に警告をすることができる。しかしながら、この場合にも警告を行うにとどまり、バッテリーの残量が不足しているときにも録画を最後まで実行できるようにするものではなく、ユーザに利便性を与えるものではなかった。
【０００８】
本発明は、上述のごとき実情に鑑みてなされたものであり、電源を常に外部から供給できないバッテリー型の録画端末で、放送番組コンテンツの録画を実行しようとするときに、録画端末のバッテリーの充電レベルが低下して番組コンテンツの放送終了まで録画できないと予想される場合であっても、確実にその番組コンテンツの録画処理を実行できるようにした録画端末、録画装置、及びこれら録画端末と録画装置からなる録画システムを提供することを目的とする。
【課題を解決するための手段】
【０００９】
上記課題を解決するために、本発明の第１の技術手段は、放送波を受信する受信手段と、該受信手段が受信した放送波による番組コンテンツを録画する録画手段と、該録画手段が録画した番組コンテンツを表示する表示部とを備えた録画端末であって、該録画端末の各部の動作を制御する制御部と、前記録画端末を動作させる電力を供給するバッテリーと、ネットワークを介して外部機器と通信を行うネットワーク通信部とを有し、前記制御部は、前記番組コンテンツを録画しようとする際に、外部電源が供給されていない場合に前記バッテリーの充電レベルの残量を検出し、前記録画しようとする番組コンテンツの録画が可能であるかを判別し、前記番組コンテンツの録画が完了できないと判断したときに、前記ネットワーク通信部を介して特定の外部機器に対して前記録画しようとする番組コンテンツを録画する指示情報を送信することを特徴としたものである。
【００１０】
第２の技術手段は、第１の技術手段において、前記制御部は、前記番組コンテンツの録画を指示した前記特定の外部機器に対して、録画した番組コンテンツを前記ネットワークを介して前記録画端末に転送する指示情報を送信し、前記指示情報に応じて転送された番組コンテンツを前記ネットワーク通信部を介して受信し、前記録画手段に録画することを特徴としたものである。
【００１１】
第３の技術手段は、第２の技術手段において、前記制御部は、前記外部機器に対して、前記録画した番組コンテンツを前記録画端末に転送する指示情報を送信しようとする際に、外部電源が供給されていない場合に前記バッテリーの充電レベルの残量を検出し、該検出した残量が、転送された前記録画コンテンツの受信に必要な残量以上であれば、前記指示情報を送信することを特徴としたものである。
【００１２】
第４の技術手段は、放送波を受信する受信手段と、該受信手段が受信した放送波による番組コンテンツを録画する録画手段と、を備えた録画装置であって、該録画装置の各部の動作を制御する制御部と、ネットワークを介して外部の端末と通信を行うネットワーク通信部とを有し、前記制御部は、前記ネットワーク通信部を介して外部の端末から送信された、特定の番組コンテンツを録画する指示情報に基づいて、前記受信手段で受信した番組コンテンツを前記録画手段で録画し、前記外部の端末から送信された、番組コンテンツの転送を指示する指示情報に基づいて、前記録画手段で録画した番組コンテンツを前記ネットワークを介して前記外部の端末に転送することを特徴としたものである。
【００１３】
第５の技術手段は、第４の技術手段において、前記制御部は、前記外部の端末から、前記番組コンテンツを録画する指示情報を受信した際に、外部電源が供給されていない場合に前記録画装置が備えるバッテリーの充電レベルの残量を検出し、前記バッテリーの充電レベルの残量が、前記録画コンテンツの録画に必要な残量以上でなければ、録画ができない旨を示す情報を前記外部の端末に送信することを特徴としたものである。
【００１４】
第６の技術手段は、第４の技術手段において、前記制御部は、前記外部の端末から、前記録画した番組コンテンツを前記外部の端末に転送する指示情報を受信した際に、外部電源が供給されていない場合に前記録画装置が備えるバッテリーの充電レベルの残量を検出し、該検出した残量が、前記番組コンテンツの転送に必要な残量以上でなければ、前記転送ができない旨を示す情報を前記外部の端末に出力することを特徴としたものである。
【００１５】
第７の技術手段は、第１〜３のいずれか１の技術手段の録画端末と、第４〜６のいずれか１の技術手段の録画装置とを備え、前記録画端末と前記録画装置とがネットワークを介して接続されてなる録画システムである。
【発明の効果】
【００１６】
本発明によれば、電源を常に外部から供給できないバッテリー型の録画端末で、放送番組コンテンツの録画を実行しようとするときに、録画端末のバッテリーの充電レベルが低下して番組コンテンツの放送終了まで録画できないと予想される場合であっても、確実にその番組コンテンツの録画処理を実行できるようにした録画端末、録画装置、及びこれら録画端末と録画装置からなる録画システムを提供することができる。
【図面の簡単な説明】
【００１７】
【図１】本発明に係る録画システムの構成を概念的に説明するための図である。
【図２】録画システムに適用される携帯電話の構成例を示すブロック図である。
【図３】録画システムに適用されるレコーダの構成例を示すブロック図である。
【図４】本発明に係る録画システムにおける処理のシーケンス例を示す図である。
【図５】本発明に係る録画システムにおける処理のシーケンス例を示す他の図で、図４に続く図である。
【図６】本発明に係る録画システムにおける処理の一例を説明するためのフローチャートである。
【図７】本発明に係る録画システムにおける処理の他の例を説明するためのフローチャートである。
【図８】本発明に係る録画システムにおける処理のさらに他の例を説明するためのフローチャートである。
【図９】本発明に係る録画システムにおける処理のさらに他の例を説明するためのフローチャートである。
【図１０】本発明に係る録画システムにおける処理のさらに他の例を説明するためのフローチャートである。
【図１１】本発明に係る録画システムにおける処理のさらに他の例を説明するためのフローチャートである。
【発明を実施するための形態】
【００１８】
図１は、本発明に係る録画システムの構成を概念的に説明するための図である。
録画システムは、携帯電話１とレコーダ２とを有する。携帯電話１は、自身を動作させる電源を常に外部から供給することができないバッテリー型の端末装置で、本発明の録画端末に相当する。またレコーダ２は、本発明の録画装置に相当するものである。
【００１９】
携帯電話１及びレコーダ２は、放送アンテナ３から放送される放送波により放送番組を受信する。例えば屋内に配置したレコーダ２の場合は、屋外の受信アンテナ５を介して放送される番組コンテンツを受信することができる。携帯電話１及びレコーダ２は、受信した番組コンテンツ等を録画する録画機能を備える。
【００２０】
また、携帯電話１は、インターネット４を経由して、レコーダ２に接続可能とする。インターネット４と携帯電話１との通信は、３Ｇ／Ｗｉｆｉ（登録商標）／Ｗｉｍａｘ（登録商標）等の通信方式を適宜適用することができる。また、インターネット４とレコーダ２との通信には、Ｅｔｈｅｒｎｅｔ（登録商標）等の通信方式を適用できる。インターネット４は本発明のネットワークに相当する。
【００２１】
携帯電話１が外部から電源供給を受けることができない状態にあって、携帯電話１で放送番組コンテンツを録画しようとするとき、自身のバッテリーの充電レベルの残量を検出する。そして自身のバッテリーの充電レベルの残量が、目的とする放送番組コンテンツを録画できるレベルにないときには、携帯電話自身で録画を行うことなく、レコーダ２に録画処理を指示する。この指示を受けてレコーダ２は、携帯電話１から指示された番組コンテンツを録画し、その後携帯電話１に対して録画済みの番組コンテンツをインターネット４を経由して転送し、携帯電話１の録画機能にコピーさせる。
【００２２】
このように、携帯電話１では、自身のバッテリーの充電レベルの残量に余裕がある場合には、自身で番組コンテンツを録画し、自身のバッテリーの充電レベルに不足が生じる場合には、携帯電話１が自身で録画を行うことなく、ネットワークを介して接続されたレコーダ２で番組コンテンツを録画させる。これにより、携帯電話１のバッテリーの充電レベルの残量に係わりなく、ユーザが所望する番組コンテンツの録画を行うことができ、ユーザの利便性を向上させることができる。
【００２３】
図２は、上記録画システムに適用される携帯電話の構成例を示すブロック図である。携帯電話１は、記憶部１１０、表示部１２０、入力部１３０、制御部１４０、放送番組受信部１５０、及びネットワーク通信部１６０を備えている。
制御部１４０は、携帯電話各部の動作を制御する。放送番組受信部１５０は、本発明の録画端末の受信手段に相当するもので、放送された番組コンテンツを受信する。そして放送番組受信部１５０は、番組コンテンツを受信した際に、番組コンテンツに含まれる番組情報を取得する番組情報取得部１５１を有する。番組情報取得部１５１は、番組情報として、放送タイトル、放送時間、画像サイズ、ビットレート等の情報を取得する。
【００２４】
ネットワーク通信部１６０は、３Ｇ／ＷｉＦｉ／ＷｉＭＡＸ等の通信方式によりインターネットへの接続を行なう。記憶部１１０は、メモリ等の記憶手段であり、番組情報取得部１５１が取得した録画番組情報１１１と、放送番組受信部１５０で受信して録画した録画番組１１２と、携帯電話１のバッテリーの充電レベルの残量情報であるバッテリー情報１１３とを保持する。本発明の録画端末の録画手段は、制御部１４０及び記憶部１１０の機能により実現される。
【００２５】
表示部１２０は、携帯電話１での各種情報を表示するもので、放送番組を録画（または録画予約）する際の入力画面等を表示することができる。また、入力部１３０は、ユーザの各種の操作入力を受け付けるもので、録画処理の実施や、レコーダ２等の外部機器に対する録画指示、レコーダ２等の外部機器で録画された番組コンテンツの転送／コピー指示等の操作入力を受け付ける。
【００２６】
図３は、上記録画システムに適用されるレコーダの構成例を示すブロック図である。レコーダ２は、記憶部２１０、表示出力部２２０、入力部２３０、制御部２４０、放送番組受信部２５０、ネットワーク通信部２６０を有する。
制御部２４０は、レコーダ各部の動作を制御する。放送番組受信部２５０は、本発明の録画装置の受信手段に相当するもので、放送された番組コンテンツを受信する。そして放送番組受信部２５０は、番組コンテンツを受信した際に、番組コンテンツに含まれる番組情報を取得する番組情報取得部２５１を有する。番組情報取得部２５１は、番組情報として、放送タイトル、放送時間、画像サイズ、ビットレート等の情報を取得する。
【００２７】
ネットワーク通信部２６０は、Ｅｔｈｅｒｎｅｔにより、インターネットへの接続を行なう。記憶部２１０は、メモリ等の記憶手段であり、番組情報取得部２５１が取得した録画番組情報２１１と、放送番組受信部２５０で受信して録画した録画番組２１２と、レコーダ２のバッテリーの充電レベルの残量情報であるバッテリー情報２１３とを保持する。なお、レコーダ２は、外部から供給されるＡＣ電源により動作するため、バッテリーを備えることなく動作してもよいが、ここではバッテリー情報を有するものとする。本発明の録画装置の録画手段は、制御部２４０及び記憶部２１０の機能により実現される。
【００２８】
表示出力部２２０は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等のインタフェースを介して、ＴＶなどの表示デバイスに放送番組や録画番組等のコンテンツを表示させる。また、入力部２３０は、ユーザの各種の操作入力を受け付ける。
【００２９】
図４〜図５は、本発明に係る録画システムにおける処理のシーケンス例を示す図である。ここでは、録画システムを構成する携帯電話１、レコーダ２、及びこれらを操作するユーザであるアクターとの間の処理の動作例を示している。
ここでは、外部機器に対する録画処理の指示や、録画済み番組コンテンツの転送／コピーについては、ＤＬＮＡ（Ｄｉｇｉｔａｌ  Ｌｉｖｉｎｇ  Ｎｅｔｗｏｒｋ  Ａｌｌｉａｎｃｅ）の仕組みを使用した例を説明する。ＤＬＮＡは、各種機器間のネットワークを可能にするガイドラインを作ることを目的としたもので、具体的にはＤＬＮＡガイドラインとして、各機器が共通に対応すべきＭｅｄｉａ  Ｆｏｒｍａｔ（ＣＯＤＥＣ）や、機器間が通信する際の手順、ユーザインタフェースなどが定められている。
【００３０】
なお、本発明を実施する際には、ＤＬＮＡの仕組みを用いることに限定されるものでなく、他機器に対する録画処理の指示や録画済み番組コンテンツの転送／コピーを実施するための制御は、ＤＬＮＡ仕組み以外のものを用いても構わない。
また、本発明に係る実施形態では、携帯電話１とレコーダ２との接続形態として無線ＬＡＮと有線ＬＡＮによる構成を適用できるが、機器間同士が接続された環境であれば、その接続形態を問うものではない。
【００３１】
図４〜図５のシーケンスに沿って説明する。
まず、アクターが携帯電話１で放送番組コンテンツを録画したい場合には、アクターは、携帯電話１を操作して録画処理を指示する（ステップＳ１）。これに対して携帯電話１は、携帯電話１による録画可否の判断を行なう（ステップＳ２）。録画可否は、録画指示された番組コンテンツの録画を行うことができるだけのバッテリーの充電レベルの残量があるか否かによって判断する。
ここで、バッテリーの充電レベルの残量不足により録画が失敗すると考えられる場合、携帯電話１では、その旨の警告をアクターに通知する（ステップＳ３）。警告の方法は、携帯電話１の表示部１２０に所定の警告表示を行う。また、所定の音声出力等により警告を行うようにしてもよい。
【００３２】
そして、  携帯電話１は、レコーダ２と通信を行い、レコーダ２による録画処理の可否を判断するためのやりとりを行う（ステップＳ４〜Ｓ５）。以下のステップＳ４１〜４５は、その録画処理の可否判断を行うための機器検索／サービス情報取得処理である。
ここでは携帯電話１は、マルチキャストアドレスにＭ−ＳＥＡＲＣＨを行い、ネットワーク内に機器が居ないかどうかを確認する（ステップＳ４１）。Ｍ−ＳＥＡＲＣＨ  は、ＤＬＮＡで規定されるメッセージで、ネットワークに接続されているサービスを検索するため、サービス発見のプロトコルの検索メッセージであり、例えばＨＴＴＰ（Ｈｙｐｅｒｔｅｘｔ  Ｔｒａｎｓｆｅｒ  Ｐｒｏｔｏｃｏｌ）／１.１に基づいて転送される。なおサービス発見のプロトコルは、ＳＳＤＰ（Ｓｉｍｐｌｅ  Ｓｅｒｖｉｃｅ  Ｄｉｓｃｏｖｅｒｙ）である。
Ｍ−ＳＥＡＲＣＨを受信したレコーダ２は、自身のデバイス情報へアクセス可能なＵＲＬ情報などを記載した応答（Ｍ−ＳＥＡＲＣＨ  Ｒｅｓｐｏｎｓｅ）を携帯電話１に返信する（ステップＳ４２）。
【００３３】
応答を受けた携帯電話１は、応答したレコーダ２がどのようなデバイスかを知るため、ＤＬＮＡで規定されるＧＥＴ  ＤｅｖｉｃｅＤｅｓｃｒｉｐｔｉｏｎを送信する（ステップＳ４３）。これに対してレコーダ２は、自身のデバイスタイプを示すＤｅｖｉｃｅＤｅｓｃｒｉｐｔｉｏｎを応答として返信する（ステップＳ４４）。そして携帯電話１は、レコーダ２が提供するサービスを知るため、ＧＥＴ  Ｓｅｖｉｃｅ  Ｄｅｓｃｒｉｐｔｉｏｎをレコーダ２に送信する（ステップＳ４５）。これに対してレコーダ２は、自身が提供するサービスリストを示すＳｅｖｉｃｅＤｅｓｃｒｉｐｔｉｏｎを携帯電話に返信する（ステップＳ４６）。これにより、携帯電話１は、レコーダ２で録画予約サービスが提供されているか否かを確認し、レコーダ２での録画の可否を判断することができる。
【００３４】
上記の処理により、レコーダ２による録画処理の可否を判断した結果、レコーダ２による録画が可能であった場合、携帯電話１は、レコーダ２への録画指示を行う。ここでは、携帯電話１は、録画予約を実現するサービスであるＳＲＳ（Ｓｃｈｅｄｕｌｅｄ  Ｒｅｃｏｒｄｉｎｇ  Ｓｅｒｖｉｃｅ）のＣｒｅａｔｅＲｅｃｏｒｄＳｃｈｅｄｕｌｅアクションをレコーダ２に送信する（ステップＳ６）。これに対して、レコーダ２は予約録画のリクエストが成功したことを示すＨＴＴＰ／１.１  ２００ＯＫをレスポンスとして返信する（ステップＳ７）。
【００３５】
そして、レコーダ２は、携帯電話１から指示された録画予約の内容に基づき、録画を開始し（ステップＳ８）、録画を完了させる（ステップＳ９）。
携帯電話１は、録画が完了する時間になると、アクターに対して表示部１２０等により録画処理完了を通知する（ステップＳ１０）。
【００３６】
アクターは、レコーダ２に録画されている番組コンテンツを携帯電話１に転送したい場合、携帯電話１に対する所定の操作によって、レコーダ２に録画済みの番組コンテンツの転送処理を指示する（ステップＳ１１）。
携帯電話１は、レコーダ２に対して録画済みの番組コンテンツの転送の可否を訪ね、転送可否を判断するためのやりとりをおこなう（ステップＳ１２〜Ｓ１３）。以下のステップＳ１２１〜Ｓ１２６は、その転送可否の判断を行うための機器検索／サービス情報取得処理である。
【００３７】
ここで携帯電話１は、マルチキャストアドレスにＭ−ＳＥＡＲＣＨを行い、ネットワーク内に機器が居ないかどうかを確認する（ステップＳ１２１）。Ｍ−ＳＥＡＲＣＨを受信したレコーダ２は、Ｍ−ＳＥＡＲＣＨ  Ｒｅｓｐｏｎｓｅを携帯電話１に返信する（ステップＳ１２２）。携帯電話１は、応答したレコーダ２がどのようなデバイスかを知るため、ＧＥＴ  ＤｅｖｉｃｅＤｅｓｃｒｉｐｔｉｏｎを送信する（ステップＳ１２３）。これに対してレコーダ２は、自身のデバイスタイプを示すＤｅｖｉｃｅＤｅｓｃｒｉｐｔｉｏｎを応答として返信する（ステップＳ１２４）。そして携帯電話１は、レコーダ２が提供するサービスを知るため、ＧＥＴ  Ｓｅｖｉｃｅ  Ｄｅｓｃｒｉｐｔｉｏｎをレコーダ２に送信する（ステップＳ１２５）。これに対してレコーダ２は、自身が提供するサービスリストを示すＳｅｖｉｃｅ  ＤｅｖｉｃｅＤｅｓｃｒｉｐｔｉｏｎを携帯電話に返信する（ステップＳ１２６）。
上記の処理により、携帯電話１は、レコーダ２で録画済みの番組コンテンツの転送サービスが提供されているか否かを判断する（ステップＳ１４）。
【００３８】
番組コンテンツの転送が可能である場合、携帯電話１は、ＣｏｎｔｅｎｔＤｉｒｅｃｔｏｒｙＳｅｒｖｉｃｅのＣＤＳ（ＣｒｅａｔｅＯｂｊｅｃｔ）アクションにより、レコーダ２における録画済み番組コンテンツの携帯電話１へのアップロードを指示する（ステップＳ１５）。レコーダ２は、このリクエストを実行する応答を行い（ステップＳ１６）、携帯電話１から指示された録画済み番組コンテンツを携帯電話１に転送する（ステップＳ１７）。
【００３９】
番組コンテンツの転送が完了すると、携帯電話１は、レコーダ２に完了通知を行い（ステップＳ１８）、レコーダ２はこれに応答を返す（ステップＳ１９）。そして、携帯電話１は、アクターに対して録画済み番組コンテンツの転送処理が完了したことを表示部１２０等を通じて通知する（ステップＳ２０）。これにより、アクターは、レコーダ２から携帯電話１に対して所望の録画済み番組コンテンツが転送されたことを知ることができる。
【００４０】
図６は、本発明に係る録画システムにおける処理の一例を説明するためのフローチャートで、携帯電話が録画処理をレコーダに指示するときの処理例を示すものである。
まず、携帯電話１では、放送番組受信部１５０により放送波を受信し、番組情報取得部１５１により、放送された番組コンテンツの録画番組情報を取得する（Ｓ１０１）。録画番組情報は、放送番組の放送タイトル、放送時間、画サイズ、ビットレート等の情報を持っている。
そして、ユーザは、携帯電話にて録画番組情報を確認し、その番組コンテンツを録画するかを選択し、録画する場合には携帯電話１を操作して録画処理を指示する（ステップＳ１０２）。ここで録画処理が指示されなければそのまま処理を終了する。
【００４１】
録画処理が指示された場合、携帯電話１では、携帯電話自身で録画が可能か否かを判断する（ステップＳ１０３）。ここでは、携帯電話１は、外部から電源供給を受けていない状態のものであり、携帯電話１の制御部１４０は、記憶部１１０に記憶されたバッテリー情報１１３に基づいて、ユーザに指示された番組コンテンツが録画できるか否かを判断する。
【００４２】
ここで携帯電話１による録画処理が可能であると判断した場合には、携帯電話１の制御部１４０は、ユーザからの指示に従って録画処理を開始し、受信した番組コンテンツを記憶部１１０に記憶させる（ステップＳ１０７）。
また、ステップＳ１０３で携帯電話１による録画処理が不可であると判断した場合、携帯電話１の制御部１４０は、録画処理が失敗する恐れがある旨の警告を表示部１２０により通知する（ステップＳ１０４）。
【００４３】
そして、携帯電話１の制御部１４０は、レコーダ２による録画可否を判断する（ステップＳ１０５）。ここで携帯電話１の制御部１４０は、レコーダ２にて録画処理を実施することが可と判断した場合、レコーダ２に対して録画処理を指示する（ステップＳ１０６）。一方、レコーダ２においての録画処理ができないと判断した場合には、いずれの機器でも録画することができず、処理を終了する。
【００４４】
図７は、本発明に係る録画システムにおける処理の他の例を説明するためのフローチャートで、図６のステップＳ１０３で携帯電話自身が録画が可能か否かを判断するときの処理例をさらに具体的に示すものである。
ユーザ操作によって録画処理が指示された場合、携帯電話１の制御部１４０は、携帯電話１が充電中かもしくは電源があるか否かを判断する（ステップＳ２０１）。電源がある場合とは、外部電源が接続されている場合を指す。
【００４５】
ここで充電中でなく、外部電源も接続されていない場合、制御部１４０は、記憶部１１３に記憶されているバッテリー情報１１３を取得する（ステップＳ２０２）。そして、放送番組受信部１５０で放送波を受信して、放送波を受信するときに使用する受信消費電力を計算する（ステップＳ２０３）。これらの処理が終了すると、次に制御部１４０は、録画対象となっている番組放送時間と、ステップＳ２０３で算出した放送受信消費電力とから、録画処理に必要となる録画処理消費電力を算出する（ステップＳ２０４）。ここで録画処理消費電力は、放送受信電力×番組放送時間により算出される。
【００４６】
そして制御部１４０は、バッテリーの残量を示すバッテリー情報１３１が録画処理消費電力以上であるかを判断し、バッテリー情報１３１が録画処理消費電力以上である場合、携帯電話１による録画が可であると判断する（ステップＳ２０６）。また、バッテリー情報１３１が録画処理消費電力より小さい場合には、携帯電話１による録画が否であるものと判断する。
【００４７】
図８は、本発明に係る録画システムにおける処理のさらに他の例を説明するためのフローチャートで、図６のステップＳ１０５でレコーダによる録画可否を判断するときのレコーダにおける処理例をさらに具体的に示すものである。
ここでレコーダ２は、携帯電話１からの接続を待っている（ステップＳ３０１）。そして、携帯電話１からの接続があった場合、レコーダの制御部２４０では、レコーダが充電中もしくは外部電源が供給されているか否かを判断する（ステップＳ３０２）。ここでレコーダ２の場合には、通常は外部電源が供給されているため、ステップＳ３０７に進み、レコーダによる録画が可能であると判断し、携帯電話にその旨を通知する（ステップＳ３０７）。
【００４８】
一方、ステップＳ３０２で、バッテリーが充電中かもしくは外部電源の供給がない場合、レコーダ２の制御部２４０は、バッテリー情報を取得する（ステップＳ３０３）。ここでは、レコーダ２に充電可能なバッテリーが備えられていて、そのバッテリー情報が記憶部２１０に記憶されているものとするが、バッテリーがない場合には、外部電源が供給されていなければ録画は否であると判断される。
【００４９】
そしてレコーダ２の制御部２４０は、放送番組受信部２５０で放送波を受信して、その受信時消費電力を計算する（ステップＳ３０４）。この処理が終了すれば、次に制御部２４０は、録画対象となっている番組放送時間と、ステップＳ３０３で算出した放送受信消費電力とから、録画処理に必要となる録画処理消費電力を算出する（ステップＳ３０５）。
【００５０】
そして制御部２４０は、バッテリーの残量を示すバッテリー情報が録画処理消費電力以上であるかを判断し（ステップＳ３０６）、バッテリー情報が録画処理消費電力以上である場合、レコーダ２による録画が可であると判断し、その旨を携帯電話１に通知する（ステップＳ３０７）。また、バッテリー情報が録画処理消費電力より小さい場合には、レコーダ２による録画が否であるものと判断し、その旨を携帯電話１に通知する（ステップＳ３０８）。
【００５１】
図９は、本発明に係る録画システムにおける処理のさらに他の例を説明するためのフローチャートで、図６のステップＳ１０６の録画指示に従ってレコーダ２で録画行い、レコーダ２で録画済みの番組コンテンツを携帯電話１に転送するときの処理例を具体的に示すものである。
携帯電話１からの指示に従ってレコーダ２にて録画完了すると、携帯電話１では、表示部１２０等を使用して録画が完了したことをユーザに通知する（ステップＳ４０１）。ここでユーザは、レコーダ２に録画されている番組コンテンツを携帯電話１に転送するか否かを選択する（ステップＳ４０２）。携帯電話１への転送を所望しない場合には、そのまま処理を終了する。
【００５２】
一方、ユーザがレコーダ２から携帯電話１への転送を選択した場合、レコーダ２は、携帯電話１への転送が可能か否かを判断する（ステップＳ４０３）。レコーダ２が携帯電話１への転送が可であると判断した場合、携帯電話１の制御部１４０は、携帯電話１がレコーダ２からの転送を処理できるか否かを判断する（ステップＳ４０４）。
携帯電話１の制御部１４０は、レコーダ２からの転送が処理可能であると判断した場合、レコーダ２に対して、録画済みの番組コンテンツの転送処理を指示する（ステップＳ４０５）。レコーダ２では、携帯電話１からの転送処理に従って、指示された録画済み番組コンテンツの携帯電話１への転送処理を実行する（ステップＳ４０６）。
【００５３】
また、携帯電話１の制御部１４０が、レコーダ２からの転送を処理できないと判断した場合、携帯電話１では、レコーダ２から携帯電話１への転送処理が失敗する恐れがある旨の警告を表示部１２０にて通知する（ステップＳ４０７）。
【００５４】
図１０は、本発明に係る録画システムにおける処理のさらに他の例を説明するためのフローチャートで、図９のステップＳ４０３でレコーダ２から携帯電話１への録画済みコンテンツの転送可否の判断時の処理例を具体的に示すものである。
ここでレコーダ２では、携帯電話１からの指示に従って番組コンテンツの録画処理が完了すると、その番組コンテンツは、レコーダ２の記憶部２１０に録画番組２１２として保存される（ステップＳ５０１）。
【００５５】
そしてレコーダ２は、携帯電話１からの接続を待機する（ステップＳ５０２）。携帯電話１からの接続があると、レコーダ２の制御部２４０は、レコーダ２が充電中かもしくは外部電源が供給されているか否かを判断する（ステップＳ５０３）。ここでレコーダ２の場合には、通常は外部電源が供給されているため、ステップＳ５０７に進み、レコーダ２からの転送が可能であると判断し、携帯電話にその旨を通知する（ステップＳ５０８）。
【００５６】
一方、ステップＳ３０２で、バッテリーが充電中かもしくは外部電源の供給がない場合、レコーダ２の制御部２４０は、バッテリー情報を取得する（ステップＳ５０４）。ここでは、レコーダ２に充電可能なバッテリーが備えられていて、そのバッテリー情報が記憶部２１０に記憶されているものとするが、バッテリーがない場合には、外部電源が供給されていなければ転送は否であると判断される。
【００５７】
そして、レコーダ２の制御部２４０は、携帯電話１とレコーダ２との通信速度と、携帯電話１との接続負荷時の接続消費電力を測定する（ステップＳ５０５）。通信速度は、携帯電話１とレコーダ２とが接続するときの通信速度で例えばＭｂｐｓで表される。また、接続消費電力は、携帯電話１とレコーダ２とが接続するときに必要とする電力である。この処理が終了すれば、次に制御部２４０は、接続消費電力、番組コンテンツの放送時間、番組ビットレート、及び通信速度により転送処理消費電力を算出する（ステップＳ５０６）。ここでの転送処理電力は、接続消費電力×番組放送時間×番組ビットレート［Ｍｂｐｓ］／通信速度［Ｍｂｐｓ］によって算出される。
【００５８】
そして制御部２４０は、バッテリーの残量を示すバッテリー情報が転送処理消費電力以上であるかを判断し（ステップＳ５０７）、バッテリー情報が転送処理消費電力以上である場合、レコーダ２から携帯電話１への転送が可であると判断し、その旨を携帯電話１に通知する（ステップＳ５０８）。また、バッテリー情報が録画処理消費電力より小さい場合には、レコーダ２による転送が否であるものと判断し、その旨を携帯電話１に通知する（ステップＳ５０９）。
【００５９】
図１１は、本発明に係る録画システムにおける処理のさらに他の例を説明するためのフローチャートで、図９のステップＳ４０４で携帯電話１がレコーダ２からの録画済みコンテンツの転送可否を判断するときの処理例を具体的に示すものである。
ここでは携帯電話１の制御部１４０は、携帯電話１が充電中もしくは外部電源が供給されているか否かを判断する（ステップＳ６０１）。充電中もしくは外部電源が供給されている場合には、ステップＳ６０６に進み、レコーダ２からの録画済み番組コンテンツの転送が可能であると判断する。
【００６０】
ここで充電中でなく、外部電源も接続されていない場合、携帯電話１の制御部１４０は、記憶部１１３に記憶されているバッテリー情報１１３を取得する（ステップＳ６０２）。そして制御部１４０は、携帯電話１とレコーダ２との通信速度と、接続負荷時の接続消費電力を測定する（ステップＳ６０３）。この処理が終了すると、次に制御部１４０は、接続消費電力、番組放送時間、番組ビットレート、及び通信速度により転送処理消費電力を算出する（ステップＳ６０４）。この転送処理電力は、接続消費電力×番組放送時間×番組ビットレート［Ｍｂｐｓ］／通信速度［Ｍｂｐｓ］によって算出される。
【００６１】
そして携帯電話１の制御部１４０は、バッテリーの残量を示すバッテリー情報が転送処理消費電力以上であるかを判断し（ステップＳ６０５）、バッテリー情報が転送処理消費電力以上である場合、レコーダ２から携帯電話１への転送が可であると判断する（ステップＳ６０６）。また、バッテリー情報が録画処理消費電力より小さい場合には、レコーダ２による転送が否であるものと判断する（ステップＳ６０７）。
【００６２】
上記のような処理により、携帯電話１では、自身のバッテリーの充電レベルの残量に余裕がある場合には自身で番組コンテンツを録画し、自身のバッテリーの充電レベルに不足が生じる場合には、レコーダ２で番組コンテンツを録画させる。そしてその後、レコーダ２から携帯電話１に番組コンテンツを転送させる。
これにより、携帯電話１のバッテリーの充電レベルの残量に係わりなく、ユーザが所望する番組コンテンツの録画を行うことができ、ユーザの利便性を向上させることができるようになる。
【符号の説明】
【００６３】
１…携帯電話、２…レコーダ、３…放送アンテナ、４…インターネット、５…受信アンテナ、１１０…記憶部、１１１…録画番組情報、１１２…録画番組、１１３…バッテリー情報、１２０…表示部、１３０…入力部、１４０…制御部、１５０…放送番組受信部、１５１…番組情報取得部、１６０…ネットワーク通信部、２１０…記憶部、２１１…録画番組情報、２１２…録画番組、２１３…バッテリー情報、２２０…表示出力部、２３０…入力部、２４０…制御部、２５０…放送番組受信部、２５１…番組情報取得部、２６０…ネットワーク通信部。
【図１】
2013214889.tif 000003
【図２】
2013214889.tif 000004
【図３】
2013214889.tif 000005
【図４】
2013214889.tif 000006
【図５】
2013214889.tif 000007
【図６】
2013214889.tif 000008
【図７】
2013214889.tif 000009
【図８】
2013214889.tif 000010
【図９】
2013214889.tif 000011
【図１０】
2013214889.tif 000012
【図１１】
2013214889.tif 000013